(57)【要約】【課題】  他の情報記録再生装置の複数の記録媒体に記録されている音声情報を記録する際に、ユーザが所望する音声情報の再生順を記録したプログラムの生成を自動的に行う。【解決手段】  ＣＤ内の１曲目のトラックかどうかを判定し（ステップＳ１１）、１曲目のトラックであれば（ステップＳ１１；ＹＥＳ）、プログラム情報として現在録音中のＭＤのトラックナンバを記憶する（ステップＳ１２）。録音停止でなく（ステップＳ１４；ＮＯ）、次曲があれば（ステップＳ１３；ＹＥＳ）、ＭＤ内のトラックナンバをインクリメントして録音を継続する（ステップＳ１７）。ユーザのキー操作等により録音停止と判定されれば（ステップＳ１４；ＹＥＳ）、先にメモリ８に記憶したＭＤ内のトラックナンバをプログラム情報記録領域に記録して録音を終了する（ステップＳ１５）。【選択図】  図２
2006127608.tif 000002
【特許請求の範囲】
【請求項１】
複数の主情報が記録される主情報領域と、管理情報が記録される管理情報領域とを備え、さらに、前記管理情報内に前記主情報の再生順序を任意に設定するプログラム情報を記録するプログラム情報領域を確保した記録媒体に、前記主情報及び前記管理情報並びにプログラム情報を記録再生する情報記録再生装置であって、
他の記録媒体に記録されている複数の主情報を前記記録媒体にコピーする際に、該複数の主情報を前記主情報領域に記録すると共に該複数の主情報を識別する識別情報を前記プログラム情報領域に記録再生する記録再生制御部を備え、
前記記録再生制御部は、前記記録媒体に記録した前記複数の主情報のうち、最初に記録された主情報に対応する前記識別情報を前記プログラム情報領域に記録することを特徴とする情報記録再生装置。
【請求項２】
さらに、前記記録再生制御部は、前記主情報の内容に基づいて複数の前記プログラムを前記プログラム情報領域に作成するプログラム作成手段を備え、
前記他の記録媒体に記録されている前記複数の主情報を前記記録媒体にコピーする際に、新規のプログラムを追加して作成した場合には該新規のプログラム情報領域に、又は、複数の既存プログラムのうち、特定のプログラムを指定した場合には該指定された特定のプログラムのプログラム情報領域に、前記記録媒体に記録された前記複数の主情報のうち最初に記録した前記主情報に対応する前記識別情報を記録することを特徴とする請求項１に記載の情報記録再生装置。
【請求項３】
前記記録再生制御部は、前記他の記録媒体に記録されている前記複数の主情報を前記記録媒体にコピーする際に、前記他の記録媒体に記録されている前記複数の主情報の記録の順番を示す順番情報が通知される場合には、該順番情報により前記記録媒体に最初に記録した前記主情報であることを認識するようにしたことを特徴とする請求項１又は請求項２に記載の情報記録再生装置。
【請求項４】
前記記録再生制御部は、前記他の記録媒体に記録されている前記複数の主情報を前記記録媒体にコピーする際に、前記他の記録媒体に記録されている前記複数の主情報の記録の順番を示す順番情報が通知されない場合には、前記複数の主情報の信号レベルを検出しつつ、検出した信号レベルが所定レベル以下である最初の区間を検知し、該最初の区間の前に記録した主情報が最初に記録した主情報であることを認識するようにしたことを特徴とする請求項１又は請求項２に記載の情報記録再生装置。
【請求項５】
前記記録再生制御部は、再生要求を受けた場合、ユーザにより指定された前記プログラムのリストの内、該リストの先頭に記録されている前記識別情報から前記主情報をサーチし再生を開始することを特徴とする請求項１から請求項４のいずれか１項に記載の情報記録再生装置。
【発明の詳細な説明】
【技術分野】
【０００１】
本発明は、ユーザが所望する音声情報の再生順序を設定した情報に基づき、ＭＤ等の記録媒体に音楽等の情報を記録再生する情報記録再生装置に関するものである。
【背景技術】
【０００２】
従来、情報記録再生装置の１つであるミニディスクレコーダ（以下、「ＭＤレコーダ」という）は、ディスク内に形成されているトラック上に記録された音楽等の情報をユーザが所望する任意の順に設定し、再生することが出来るプログラム再生機能を有している。
【０００３】
なお、各トラックには、１曲分の音楽情報を記録することができる。
【０００４】
上記従来技術におけるプログラム再生機能では、ディスク内に形成されているトラックナンバ（トラックの識別番号）をＭＤレコーダ内の半導体メモリに登録してプログラムを作成することにより実現されているため、ディスクを入れ替えたり、電源をＯＦＦしたりすると、そのプログラム内容は消滅し、再度プログラムに従って音楽情報の再生を実行するには、再度ユーザがそのプログラムを設定しなおさなければならなかった。
【０００５】
なお、ここでは、上記プログラムとは、音楽等の情報をユーザが所望する順序に再生することを可能にするために、その音楽等の情報を識別する識別情報をリスト状に形成したものと定義する。例えば、識別情報として、上記に示したようにＭＤレコーダ等のトラックナンバを使用することができる。
【０００６】
そこで、上記問題点を解決するために、ディスク内の所定のトラックに管理情報領域であるプログラム情報記録領域を設け、そのディスクに対するユーザの好みの再生順を示したプログラム内容を、前記プログラム情報記録領域に記録することにより、ディスク交換や電源ＯＦＦを行っても、ディスクのプログラム情報記録領域のプログラム内容を読み取ることによって、簡単に再設定できる機能を有するＨｉ−ＭＤ規格が検討されている（特許文献１参照）。
【特許文献１】特開２００２−１５７８６４号公報
【発明の開示】
【発明が解決しようとする課題】
【０００７】
しかしながら、上記従来の方法によれば、他の情報記録再生装置の記録媒体（例えば、ＣＤプレーヤのＣＤ等）に記録されている音楽情報を初めとする音声データを記録した後、再生するためのプログラムを設定する場合に、ユーザが１曲ずつ確認しながらプログラムの設定を行う必要があった。
【０００８】
また、記録すべき上記記録媒体が複数存在する場合、例えば、各記録媒体に記録されている音楽情報の第１曲目の音楽情報を選択し、その音楽情報の識別番号を抽出して、プログラムの設定を行うための操作が煩雑であり、時間がかかるという欠点を有していた。
【０００９】
本発明は、上記問題点に鑑みてなされたものであって、他の情報記録再生装置の記録媒体から入力される識別番号を抽出し、抽出した識別番号を記録してプログラムの設定を音声情報の記録時に自動的に行い、再生時に、その設定されたプログラムの設定情報を読み出して、簡単に所望の順に音楽情報を再生する情報記録再生装置を提供するものである。
【課題を解決するための手段】
【００１０】
本発明に係る情報記録再生装置は、上述した課題を解決するため、以下の特徴を備えている。
【００１１】
本発明に係る情報記録再生装置は、複数の主情報が記録される主情報領域と、管理情報が記録される管理情報領域とを備え、さらに、前記管理情報内に前記主情報の再生順序を任意に設定するプログラム情報を記録するプログラム情報領域を確保した記録媒体に、前記主情報及び前記管理情報並びにプログラム情報を記録再生する情報記録再生装置であって、他の記録媒体に記録されている複数の主情報を前記記録媒体にコピーする際に、該複数の主情報を前記主情報領域に記録すると共に該複数の主情報を識別する識別情報を前記プログラム情報領域に記録再生する記録再生制御部を備え、前記記録再生制御部は、前記記録媒体に記録した前記複数の主情報のうち、最初に記録された主情報に対応する前記識別情報を前記プログラム情報領域に記録することを特徴とする。
【００１２】
また、本発明の情報記録再生装置は、さらに、前記記録再生制御部が、前記主情報の内容に基づいて複数の前記プログラムを前記プログラム情報領域に作成するプログラム作成手段を備え、前記他の記録媒体に記録されている前記複数の主情報を前記記録媒体にコピーする際に、新規のプログラムを追加して作成した場合には該新規のプログラム情報領域に、又は、複数の既存プログラムのうち、特定のプログラムを指定した場合には該指定された特定のプログラムのプログラム情報領域に、前記記録媒体に記録された前記複数の主情報のうち最初に記録した前記主情報に対応する前記識別情報を記録することを特徴とする。
【００１３】
また、本発明の情報記録再生装置は、前記記録再生制御部が、前記他の記録媒体に記録されている前記複数の主情報を前記記録媒体にコピーする際に、前記他の記録媒体に記録されている前記複数の主情報の記録の順番を示す順番情報が通知される場合には、該順番情報により前記記録媒体に最初に記録した前記主情報であることを認識するようにしたことを特徴とする。
【００１４】
また、本発明の情報記録再生装置は、前記記録再生制御部が、前記他の記録媒体に記録されている前記複数の主情報を前記記録媒体にコピーする際に、前記他の記録媒体記録されている前記複数の主情報の記録の順番を示す順番情報が通知されない場合には、前記複数の主情報の信号レベルを検出しつつ、検出した信号レベルが所定レベル以下である最初の区間を検知し、該最初の区間の前に記録した主情報が最初に記録した主情報であることを認識するようにしたことを特徴とする。
【００１５】
また、本発明の情報記録再生装置は、前記記録再生制御部が、再生要求を受けた場合、ユーザにより指定された前記プログラムのリストの内、該リストの先頭に記録されている前記識別情報から前記主情報をサーチし再生を開始することを特徴とする。
【発明の効果】
【００１６】
以上説明したように、本発明の情報記録再生装置によれば、通常複数曲が記録されているシングルＣＤでは１曲目にメインの曲がある事に注目し、ＭＤレコーダへのダビング時に、ＭＤレコーダにおいてシングル録音モードを設定してＣＤの全曲を録音し、入力される１曲目のＭＤディスク内での記録トラックナンバをプログラム情報記録領域に記録することにより、ＣＤに記録されている全曲を録音しながら、同時にベスト曲集の再生プログラムを自動的に作成することができる。
【００１７】
本発明によれば、記録開始時の設定だけで、簡単にベスト曲集のプログラムを作成することができる。
【発明を実施するための最良の形態】
【００１８】
以下、本発明の情報記録再生装置の実施形態を添付図面を参照して詳細に説明する。
【００１９】
＜第１の実施形態＞
本実施形態では、記録媒体に記録した複数の主情報のうち、最初に記録された主情報に対応する識別情報をプログラム情報領域に記録し、１つのプログラムを生成する情報記録再生装置について説明する。
【００２０】
図１は、記録再生装置の全体構成を示す概略ブロック図である。
【００２１】
同図において、音楽情報等が記録されている光磁気ディスク１と、光磁気ディスク１を回転駆動するスピンドルモータ１４と、光磁気ディスク１に対して記録／再生時にレーザ光を照射する光ピックアップ４と、を備えている。
【００２２】
記録時には、光ピックアップ４は、記録トラックをキュリー温度まで加熱するための高レベルのレーザ光を光磁気ディスク１に対して照射し、再生時には、反射光からデータを検出するための低レベルのレーザ光を光磁気ディスク１に対して照射する。
【００２３】
また、記録時に記録するデータによって変調された磁界を光磁気ディスク１に印加する磁気ヘッド２は、光磁気ディスク１を挟んで光ピックアップ４と対向する位置に配置されている。
【００２４】
光ピックアップ４と磁気ヘッド２は送りモータ１５によってディスク１の半径方向に移動可能となっている。
【００２５】
再生時、光ピックアップ４から読み出された情報は、ＲＦアンプ５に送られる。ＲＦアンプ５は、この情報を処理し、再生ＲＦ信号、トラッキングエラー信号、フォーカスエラー信号、光磁気ディスク１に記録されている絶対位置信号であるグルーブ情報等を抽出する。
【００２６】
抽出されたＲＦ信号は、エンコーダ／デコーダ回路６に送られ、トラッキングエラー信号とフォーカスエラー信号は、サーボ回路１７に、グルーブ情報は、アドレスデコーダ２２に送られる。
【００２７】
サーボ回路１７は、トラッキングエラー信号、フォーカスエラー信号および記録再生制御部（以下、「システムコントロールマイコン」という）１８からの指示等により各種サーボ駆動信号を発生し、ドライバ回路１６を制御してスピンドルモータ１４、送りモータ１５及び光ピックアップ４を駆動する。
【００２８】
また、抽出された再生ＲＦ信号は、エンコーダ／デコーダ回路６で復調、誤り訂正等の信号処理を施された後、メモリコントローラ７に送られる。メモリコントローラ７は、復調されたデータをメモリ８に書き込む。
【００２９】
ディスク１上のデータは、種々の圧縮フォーマットによって圧縮されている事があり、また、ディスク１からのデータ読み出し速度と音声再生速度は異なるので、メモリコントローラ７は、読み出し速度を調整してメモリ８からデータを読み出し、音声圧縮伸長回路９に送る。
【００３０】
音声圧縮伸長回路９は、データを所定のフォーマットにしたがって時間軸伸長して圧縮を解き、Ｄ／Ａコンバータ１１に送る。Ｄ／Ａコンバータ１１は、送られてきた信号をＤ／Ａ変換する。Ｄ／Ａ変換された信号は、音声出力端子１３に送られ、アナログ信号として出力される。
【００３１】
アドレスデコーダ２２から出力されるアドレス情報は、エンコーダ／デコーダ回路６を介してシステムコントロールマイコン１８に送られ、各種の制御動作に用いられる。
【００３２】
一方、記録時には、アナログ音声入力端子１２に入力されたアナログ信号は、Ａ／Ｄコンバータ１０でＡ／Ｄ変換され、音声圧縮伸長回路９に送られる。
【００３３】
ディジタル入力の場合は、ディジタル入力端子２３に接続されたディジタル信号は、ディジタル・インターフェース回路２１によって復調され、音声圧縮伸長回路９に送られる。
【００３４】
音声圧縮伸長回路９は、所定の圧縮方式により音声データ圧縮してメモリコントローラ７に送り、メモリコントローラ７は送られてきたデータをメモリ８に書き込む。同時に、ディジタル・インターフェース回路２１は、ディジタル入力信号から曲番号情報を取り出し、システムコントロールマイコン１８に送る。
【００３５】
メモリコントローラ７は、メモリ８に記憶されたデータをディスク１へのデータ書き込みタイミングに合わせて読み出し、エンコーダ／デコーダ回路６に送る。エンコーダ／デコーダ回路６は、変調および誤り訂正符号の付加等を行いヘッド駆動回路３に送る。
【００３６】
ヘッド駆動回路３は、磁気ヘッド２を駆動し、光磁気ディスク１に磁界をかける。それと同時に、光ピックアップ４から出力される記録トラックをキュリー温度まで加熱するための高レベルのレーザ光が、光磁気ディスク１上で磁気ヘッド２により磁界がかけられている部分に照射されることによって、光磁気ディスク１にデータが記録される。
【００３７】
ミニディスクの記録／再生を行うには、ミニディスク上に記録されている管理情報が用いられる。管理情報には音声データが記録されているディスク１上のアドレス、ディスク１に記録されている曲数および曲のタイトル等が記録されており、ディスク上のデータをユーザが任意に記録／編集できるレコーダブル・ディスクではユーザによる記録／編集が施される毎に、それに応じて管理情報が書き換えられ、音声データを記録する際に検出した曲の切り替わり情報（曲番情報）もこの管理情報領域に記録される。
【００３８】
ＭＤの新規格であるＨｉ−ＭＤにおいては、この管理情報の一部にユーザが任意の順に曲を再生する順番を登録できるプログラム情報領域が設けられており、該プログラム情報領域にプログラム内容を記録することによって、Ｈｉ−ＭＤのプログラム機能対応機器に該ディスクを挿入すれば、該プログラム内容を機器が読み出して、プログラム通りの順で曲を再生する事が可能となる。
【００３９】
次に、図２を用いて、本発明の記録再生装置（例えば、ＭＤレコーダ；ミニディスクレコーダ）に音声データ等を記録する場合の動作について以下に説明する。
【００４０】
図２は、他の記録再生装置（例えば、ＣＤプレーヤとする）の第２の記録媒体（ここでは、ＣＤである）から入力される音声データをＭＤレコーダの第１の記録媒体（ここでは、ＭＤである）に録音する場合のフローチャートである。
【００４１】
キー２０によって、シングル録音モードが設定されて録音がスタートすると、記録再生制御部１８は、ＣＤ内の１曲目のトラックかどうかを判定し（ステップＳ１１）、１曲目のトラックであれば（ステップＳ１１；ＹＥＳ）、エンコーダ／デコーダ回路７およびメモリコントローラ７を経由してメモリ８にプログラム情報として現在録音中のＭＤ内トラックナンバを記憶する（ステップＳ１２）。
【００４２】
ここで、記録再生制御部１８は、録音が開始されると、ＣＤプレーヤから曲番情報（ＣＤのトラックナンバ）を通知することが可能な場合には、その曲番情報から第１曲目のトラックナンバであることを判定する。
【００４３】
また、上記曲番情報が得られない場合には、所定レベル以下の音声検出を行い、曲間を判別し、録音スタートから最初の曲間検出までの記録を第１曲と判定してもよい。
【００４４】
なお、上記第１曲目を判定する方法を用いた他の実施形態については、後述する。
【００４５】
さらに、１曲目の録音が終了したかどうかを判定し（ステップＳ１３）、終了していれば（ステップＳ１３；ＹＥＳ）、録音停止するかどうかを判定する（ステップＳ１４）。
【００４６】
録音停止でなければ（ステップＳ１４；ＮＯ）、ＣＤプレーヤから次曲の入力があるかどうかを判定し（ステップＳ１６）、次曲があれば（ステップＳ１３；ＹＥＳ）、ＭＤ内のトラックナンバをインクリメントして録音を継続する（ステップＳ１７）。
【００４７】
ユーザのキー操作等により録音停止と判定されれば（ステップＳ１４；ＹＥＳ）、先にメモリ８に記憶したＭＤ内のトラックナンバを所定のトラック上に管理情報領域内のプログラム情報記録領域に記録して録音を終了する（ステップＳ１５）。
【００４８】
ステップ１５において、管理情報領域内のプログラム情報記録領域に何もトラックナンバが記録されていなければ、プログラムの１曲目として、ＭＤ上のプログラム情報記録領域に記録する。
【００４９】
また、次のＣＤの１曲目を録音したときのＭＤのトラックナンバは、プログラム情報記録領域の最後に追加し、以後、同様に、新たにＣＤの１曲目を録音したときのＭＤのトラックナンバは、プログラム情報記録領域の最後に追加・記録される。
【００５０】
図３は、各トラックナンバとプログラム情報の関係を模式的に示す図である。
【００５１】
ＣＤプレーヤによって再生される記録媒体をシングルＣＤとし、図２に示すフローに従って、複数のシングルＣＤから、ＭＤにダビング動作を行った場合、ＭＤ上の曲番とダビング元のＣＤに記録されている曲番の関係は図３（ａ）のようになる。
【００５２】
前述の図２に示すフローチャートの処理により、プログラム情報記録領域には、図３（ｂ）のように、元のシングルＣＤの１曲目にあたるＭＤ内のトラックナンバが選択されて、再生プログラムとして記録される。
【００５３】
１枚のシングルＣＤに２〜３曲の曲が記録されており、多くの場合、メインの曲は１曲目に記録されているので、自動的にヒット集の再生プログラムを作成できる。再生時に、このプログラムを呼び出して再生すれば、シングルヒット集として再生できる。
【００５４】
また、通常再生を行えば、図３（ａ）のＭＤ内トラックの順で再生することができる。
【００５５】
＜第２の実施形態＞
本実施形態は、既存の複数のプログラムにさらに新規にプログラムを追加する場合について説明する。
【００５６】
次に、新たにプログラムを作成して録音する場合及びプログラムを指定して録音する場合の動作について図４のフローチャートを用いて説明する。
【００５７】
キー２０によって、シングル録音モードが設定されると、記録再生制御部１８は、新規プログラムを作成するかどうかの判定を行う（ステップＳ２１）。
【００５８】
新規プログラム作成が指示されると（ステップＳ２１；ＹＥＳ）、プログラム作成モードに入り、ユーザがキー２０によってプログラム名称を入力・決定して新規プログラムがメモリ８に作成される（ステップＳ２２）。
【００５９】
新規プログラムを作成しない場合は（ステップＳ２１；ＮＯ）、既存のプログラム選択モードとなり、キー２０操作により、これから録音しようとするシングルＣＤの１曲目を登録するプログラム名を選択してプログラム先の決定の判断を行う（ステップＳ２３）。
【００６０】
プログラム先が決定されると（ステップＳ２３；ＹＥＳ）、録音開始されたか否かの判断を行う（ステップＳ２４）。
【００６１】
録音開始されたと判断すると（ステップＳ２４；ＹＥＳ）、ＣＤ内の１曲目のトラックかどうかを判定し（ステップＳ２５）、１曲目のトラックであれば（ステップＳ２５；ＹＥＳ）、エンコーダ／デコーダ回路７およびメモリコントローラ７を経由してメモリ８にプログラム情報として現在録音中のＭＤ内トラックナンバを記憶する（ステップＳ２６）。
【００６２】
さらに、１曲目の記録が終了したかどうかを判定し（ステップＳ２７）、終了していれば（ステップＳ２７；ＹＥＳ）、録音停止かどうかを判定する（ステップＳ２８）。録音停止でなければ（ステップＳ２７；ＮＯ）、ＣＤプレーヤから次曲の入力があるかどうかを判定する（ステップＳ３０）。
【００６３】
次曲があれば（ステップＳ３０；ＹＥＳ）、ＭＤ内のトラックナンバをインクリメントして録音を継続する（ステップＳ３１）。ユーザのキー操作等により録音停止であると判定すると（ステップＳ２８；ＹＥＳ）、先にメモリ８に記憶したＭＤのトラックナンバをＭＤ上の管理情報領域内のプログラム情報記録領域に記録して録音を終了する（ステップＳ２９）。
【００６４】
ここで、新規プログラムに登録指定された場合には、メモリ８に記憶しているＭＤのトラックナンバは、先にメモリ８に記憶した新規プログラム名称とともに、また、既存プログラムへの追加を指定された場合には、追加指定された既存プログラムの最後に、ＭＤ上の所定のプログラム情報記録領域に記録する。
【００６５】
図５は、各トラックナンバとプログラム情報の関係を模式的に示す。
【００６６】
ＣＤプレーヤによって再生される記録媒体をシングルＣＤとし、複数のシングルＣＤからダビングを行うと（例えば、ＣＤ６枚分）、ＭＤ上の曲番とダビング元のＣＤに記録されている曲番の関係は図５（ａ）のようになる。
【００６７】
図４に示したフローチャートの処理により、プログラム記録領域には、図５（ｂ）に示すように、複数のプログラムが作成され（ここでは、プログラム１〜３）、元のシングルＣＤの１曲目にあたるＭＤ内のトラックナンバが選択されて再生プログラムとして記録される。
【００６８】
上記実施形態２で説明したように、１枚のシングルＣＤに２〜３曲の曲が記録されており、多くの場合、メインの曲は１曲目に記録されているので、ユーザの好みのジャンル、アーティスト別等に分けたヒット曲集の再生プログラムを作成できる。
【００６９】
再生時に、この聞きたいプログラムを指定して再生すれば、ジャンル別、アーティスト別等のシングルヒット曲集として再生できる。また、通常再生を行えば、図５（ａ）のＭＤ内トラックの順で再生できる。
【００７０】
＜第３の実施の形態＞
本実施形態は、他の記録媒体（ＣＤ）に記録されている複数の主情報を記録媒体（ＭＤ）にコピーする際に、ＣＤに記録されている複数の主情報の記録順番を示す順番情報が通知される場合におけるプログラムの作成について説明する。
【００７１】
次に、ダビングする元のＣＤプレーヤよりトラックナンバが得られる場合における録音動作について図６を用いて説明する。
【００７２】
例えば、ＣＤプレーヤ等のディジタル出力からディジタル入力端子２３に接続されて録音を行う場合、キー２０によって、シングル録音モードが設定されて録音がスタートすると、転送されるディジタル・オーディオ信号の情報部分にあるトラックナンバ情報が得られる。
【００７３】
このトラックナンバにより、ＣＤ内の１曲目のトラックかどうかを判定する（ステップＳ４１）。１曲目のトラックであると判定されると（ステップＳ４１；ＹＥＳ）、エンコーダ／デコーダ回路７およびメモリコントローラ７を経由してメモリ８にプログラム情報として現在録音中のＭＤ内トラックナンバを記憶する（ステップＳ４２）。
【００７４】
さらに、１曲目の記録が終了したかどうかを判定し（ステップＳ４３）、終了していれば録音停止かどうかを判定する（ステップＳ４４）。
【００７５】
録音停止でなければ（ステップＳ４４；ＮＯ）、外部機器から次曲の入力があるかどうかを判定し（ステップＳ４６）、次曲があればＭＤ内のトラックナンバをインクリメントして録音を継続する（ステップＳ４７；ＹＥＳ）。
【００７６】
なお、次曲がなければ、録音停止の指示が得られまで、ステップＳ４４，ステップＳ４６が繰り返される。
【００７７】
ユーザのキー操作等により録音停止と判定されれば（ステップＳ４４；ＹＥＳ）、先にメモリ８に記憶したＭＤ内のトラックナンバをディスク上の管理情報領域内のプログラム情報記録領域に記録して録音を終了する（ステップＳ４５）。
【００７８】
なお、図６に示したフローチャートは、ステップＳ４１以外が、図２に示したフロー図と同じ処理である。
【００７９】
＜第４の実施の形態＞
本実施形態は、他の記録媒体（ＣＤ）に記録されている複数の主情報を記録媒体（ＭＤ）にコピーする際に、ＣＤに記録されている複数の主情報の記録順番を示す順番情報が通知されない場合におけるプログラムの作成について説明する。
【００８０】
例えば、ＣＤプレーヤからアナログ入力端子１２に接続して録音を行う場合、または、ディジタル・オーディオ信号の情報部分にあるトラックナンバ情報を使用しないＰＣ等のディジタル出力をディジタル入力端子２３に接続して録音を行う場合には、トラックナンバ情報を得ることはできない。
【００８１】
そこで、トラックナンバが得られなくても、曲間検出を行うことで、録音する動作について以下に図７を用いて説明する。
【００８２】
図７は、上記処理を実現するためのフローチャートである。
【００８３】
キー２０によって、シングル録音モードが設定されて録音がスタートすると、所定レベル以下の音声入力が所定時間継続した後、所定レベル以上の音声入力が検出された時点でトラックが変化したと判定して、ＭＤに記録するトラックナンバもインクリメントする処理である。
【００８４】
まず、レベル検出機能を利用して曲間検出を行い、検出されたか否かを判定する（ステップＳ５１）。曲間が検出されれば（ステップＳ５１；ＹＥＳ）、録音スタート後初めて検出された曲間かどうかを判定する（ステップＳ５２）。
【００８５】
初めて検出された曲間であれば（ステップＳ５２；ＹＥＳ）、第１曲目と判断して、メモリ８に現在録音した曲のＭＤ内のトラックナンバを記憶し（ステップＳ５３）、トラックナンバをインクリメントする（ステップＳ５４）。
【００８６】
最初の曲間でなかった場合は（ステップＳ５２；ＮＯ）、第１曲目ではないためトラックナンバのインクリメントだけを行う（ステップＳ５４）。その後、録音停止となると（ステップＳ５５；ＹＥＳ）、メモリ８に記憶したＭＤ内のトラックナンバをディスク上の管理情報領域内のプログラム情報記録領域に記録して録音を終了する（ステップＳ５６）。
【００８７】
一方、ステップＳ５２において曲間が検出されず（ステップＳ５１；ＮＯ）、録音停止となった場合（ステップＳ５７；ＹＥＳ）、１曲しか録音されていないため、その曲がダビング元の第１曲目と判断され、メモリ８に現在録音した曲のＭＤ内のトラックナンバを記憶し（ステップＳ５８）、メモリ８に記憶したＭＤ内のトラックナンバをディスク上の管理情報領域内のプログラム情報記録領域に記録して録音を終了する（ステップＳ５６）。
【００８８】
＜第５の実施形態＞
次に、本実施形態では、上述した実施形態により生成されたプログラムを再生する動作について図８を用いて説明する。
【００８９】
図８は、作成されたプログラムを再生する動作を示したフローチャートである。
【００９０】
まず、プログラム再生が選択され（ステップＳ６０；ＹＥＳ）、再生するプログラムリストが指定されると（ステップＳ６１；ＹＥＳ）、プログラム情報の内容を取得する（ステップＳ６２）。
【００９１】
プログラム情報は、図３（ｂ）または図５（ｂ）に示したように、各プログラムリストにプログラムされているＭＤ内のトラックナンバを示すので、指定されたプログラムリストの先頭のトラックナンバの曲をサーチし再生を行う（ステップＳ６３）。
【００９２】
プログラムリスト最初の曲の再生が終了すると（ステップＳ６４；ＹＥＳ）、プログラムリスト内に次再生曲を示すトラックナンバが記録されているかどうかを判定する（ステップＳ６５）。
【００９３】
次曲のトラックナンバが記録されていなければ（ステップＳ６５；ＮＯ）、再生を終了する（ステップＳ６８）。
【００９４】
次曲のトラックナンバが記録されていれば（ステップＳ６５；ＹＥＳ）、そのトラックナンバの曲をサーチし再生を行う（ステップＳ６７）。その曲の再生が終了すると（ステップＳ６７；ＹＥＳ）、次曲のプログラムナンバが記録されているかどうかの判定を行い（ステップＳ６５）、以降、プログラムされている曲を全て再生するまで同様の処理を繰り返し、プログラム曲全てを再生し終えると（ステップＳ６５；ＮＯ）、再生を終了する（ステップＳ６８）。
【００９５】
以上の処理フローにより、作成されたプログラムを再生することができる。
【００９６】
なお、上述した実施形態ではＭＤレコーダにＣＤプレーヤを接続して録音した場合について説明したが、ＣＤプレーヤ等の再生ユニットとＭＤレコーダのユニットが１つの筐体に収まるオーディオシステムにおいても同様に実現可能である。
【００９７】
尚、本発明の情報記録再生装置は、上記した実施の形態に限定されるものではなく、本発明の要旨を逸脱しない範囲内において種々変更を加え得ることは勿論である。
【図面の簡単な説明】
【００９８】
【図１】ミニディスク（ＭＤ）記録再生装置の構成を示す概略ブロック図である。
【図２】外部機器から入力される音声データをＭＤレコーダに録音する場合のフローチャートである。
【図３】各トラックナンバとプログラム情報の関係を模式的に示す図である。（ａ）は、ダビング元のトラックナンバとＭＤ内のトラックナンバの関係を示す模式図であり、（ｂ）は、プログラム内容を示す模式図である。
【図４】新たにプログラムを作成し、そのプログラムを指定して録音する場合のフローを示すフローチャートである。
【図５】各トラックナンバとプログラム情報の関係を模式的に示す。（ａ）は、ＭＤ上の曲番とダビング元のＣＤに記録されている曲番の関係を示す図である。（ｂ）は、複数のプログラムにＭＤ内のトラックナンバが記録された図を示す。
【図６】トラックナンバを用いて録音する場合の動作を示すフローチャートである。
【図７】トラックナンバが得られない場合、曲間検出を行うことで、録音する動作を示すフローチャートである。
【図８】作成されたプログラムを再生する動作を示したフローチャートである。
【符号の説明】
【００９９】
１  ミニディスク
２  磁気ヘッド
３  ヘッド駆動回路
４  光ピックアップ
５  ＲＦアンプ
６  エンコーダ／デコーダ回路
７  メモリコントローラ
８  メモリ
９  音声圧縮伸張回路
１０  Ａ／Ｄ変換回路
１１  Ｄ／Ａ変換回路
１２  音声出力端子
１３  音声入力端子
１４  スピンドルモータ
１５  送りモータ
１６  ドライバ回路
１７  サーボ回路
１８  システムコントロールマイコン
１９  表示部
２０  キー
２１  ディジタル・インターフェース回路
２２  アドレスデコーダ
２３  ディジタル入力端子
【図１】
2006127608.tif 000003
【図２】
2006127608.tif 000004
【図３】
2006127608.tif 000005
【図４】
2006127608.tif 000006
【図５】
2006127608.tif 000007
【図６】
2006127608.tif 000008
【図７】
2006127608.tif 000009
【図８】
2006127608.tif 000010